(57)【要約】【課題】  移動手摺の軌跡変化が起こりやすい部位において移動手摺の動きを規制し、移動手摺の軌跡の変化に対応可能で調整が容易な乗客コンベアを実現する。【解決手段】  移動手摺駆動装置前後の移動手摺を屈曲している部位Ａに、移動手摺耳部１ａの内側に嵌合して移動手摺の横方向及び縦方向の動きを規制するガイド体７を移動手摺と一定の隙間８を設けて配置し、このガイド体を固定して、縦方向、横方向及び横方向の傾きの調整機能を持ったブラケット６及びブラケット６をフレーム２に固定するブラケット５を備え、ガイド体７により移動手摺の横方向及び縦方向の動きを規制し、ガイド体７と移動手摺との間に設けた隙間８により移動手摺の軌跡変化にも対応可能とする。【選択図】図３
2012062131.tif 000002
【特許請求の範囲】
【請求項１】
無端状に接続されて回転する移動手摺と、この移動手摺を駆動する複数個のローラからなる駆動装置と、移動手摺耳部の内側に嵌合して移動手摺横方向の動きを規制し、且つ移動手摺の浮き上がりを防止するガイド体と、このガイド体の縦方向、横方向及び横方向の傾きの調整機構を有するブラケットとを備え、前記駆動装置前後の移動手摺が屈曲している部位に前記ブラケットを介して前記ガイド体を設置したことを特徴とする乗客コンベア。
【請求項２】
請求項１において、前記ブラケットは、前記ガイド体を支持する第１のブラケットと当該第１のブラケットをコンベアのフレームに固定する第２のブラケットとを備え、前記第１のブラケットと前記第２のブラケットとの接合面に互いに交差する長穴を形成し、この長穴にボルトを貫通させてナット締めする構成としたことを特徴とする乗客コンベア。
【発明の詳細な説明】
【技術分野】
【０００１】
本発明は、乗客コンベアに係り、特にその移動手摺の軌道調整が可能な乗客コンベアに関するものである。
【背景技術】
【０００２】
エスカレーター及び移動道路等で知られる乗客コンベアは、無端状に接続された踏段及び移動手摺を同期して回転し、乗客はこの踏段に乗り込み、移動手摺につかまって移動する。従って、移動手摺に掛かる負荷も人の流れ等によって変化し、大きな負荷が掛かった場合も、踏段の移動と同期した安定した動きが求められる。
【０００３】
このための移動手摺は、乗客コンベアの床側に設けられた駆動装置を構成する駆動ローラによって駆動され、この駆動装置前後における移動手摺の動きも、移動手摺を安定して駆動する上で重要である。
【０００４】
この駆動装置前後における移動手摺の動きを規制する技術として、例えば特許文献１には、移動手摺内側面にガイド体を設け、このガイド体を回動可能とすることが開示されている。ガイド体を移動手摺内側面に当接することにより、移動手摺の横方向及び縦方向の動きを規制するもので、ガイド体を回動させることにより、移動手摺の横方向の位置を調整し、移動手摺と駆動装置ローラとの隙間を調整可能としている。
【先行技術文献】
【特許文献】
【０００５】
【特許文献１】特開２００１−１４６３７８号公報
【発明の概要】
【発明が解決しようとする課題】
【０００６】
移動手摺が強い力で引っ張られることにより、移動手摺駆動装置に通常外の負荷がかかった場合、移動手摺が一時的に大きくうねり、移動手摺の軌跡が変化することがある。また、移動手摺の材質及び移動手摺の個体差によっても移動手摺の軌跡の変動が起こることが考えられる。
【０００７】
このような移動手摺の軌跡の変化は、駆動装置の前後において起こりやすい。駆動装置を本体に取り付ける際には、周辺部品との干渉を避けて配置する必要があり、可動部分との隙間も確保する等の制約から、駆動装置を移動手摺と並行に配置できず、多少の角度を持って配置することになる。この場合、駆動装置の前後で移動手摺が屈曲してしまい、前記軌跡の変化は、特にこの屈曲する部位に大きく現れることになる。
【０００８】
一方、ガイド体により移動手摺の動きを完全に規制するものにあっては、前記のように移動手摺の軌跡が一時的に変化した場合に、ガイド体に非常に大きな力が加わることにより、ガイド体と移動手摺とが強く擦れ異常な音を発する、ガイド体が変形する、移動手摺が破損するなどの問題が起こる場合がある。
【０００９】
本発明は上記問題を解決することを課題としたもので、その目的とするところは、軌跡変化が特に起こりやすい駆動装置前後の移動手摺が屈曲している部位において、移動手摺の動きを規制し、移動手摺の軌跡の変化に対応可能であり、且つ調整が容易な乗客コンベアを提供することにある。
【課題を解決するための手段】
【００１０】
上記目的を達成するための本発明の特徴は、移動手摺を複数個のローラからなる駆動装置で駆動する乗客コンベアであって、移動手摺耳部の内側に嵌合して移動手摺横方向の動きを規制し、且つ移動手摺の浮き上がりを防止するガイド体と、このガイド体の縦方向、横方向及び横方向の傾きの調整機構を有するブラケットを備え、前記駆動装置前後の移動手摺が屈曲している部位に前記ブラケットを介して前記ガイド体を設置したことにある。
【００１１】
以上の特徴の他、前記ブラケットを２枚のブラケットで構成し、ガイド体の縦方向、横方向及び横方向の傾きをボルト・ナットで容易に調整可能となる構成等についても提案するが、それらの詳細は以下述べる実施の形態の中で明らかにする。
【発明の効果】
【００１２】
本発明によれば、移動手摺の軌跡変化が特に顕著な部位において、移動手摺の横方向の動きを規制し、浮き上がりも抑制することができ、ガイド体の縦方向、横方向及び横方向の傾き調整が容易に行えるため、移動手摺軌跡に対するガイド体の位置調整作業も短時間で行うことができる。
【図面の簡単な説明】
【００１３】
【図１】本発明を適用するエスカレーターの概略を示す側面図
【図２】本発明の移動手摺案内部分の一実施例を示す斜視図
【図３】図２に係る実施例の正面図
【図４】図２に係る実施例のブラケット部分の分解図
【図５】図２に係る実施例の傾き調整機構を示す正面図
【発明を実施するための形態】
【００１４】
以下、本発明の実施の形態について図を参照して説明する。尚、移動手摺を駆動する装置の設置位置は、前述したように周辺部品及び可動部分等との関係で変動し、制約されることも多い。以下の実施例では、エスカレーターを例に、その上階側の床面に駆動装置を取り付け、この駆動装置の下階側に移動手摺の屈曲した部位が生じた場合について説明する。しかし、駆動装置の前後両方に屈曲した部位が生じる場合にはその両方に設置することは勿論、その一方の屈曲した部位にのみ設置する場合でも相当する効果を奏し、本発明における一つの実施形態であることは勿論である。
【００１５】
図１は本発明を適用するエスカレーターの側面図であり、フレーム２の上を移動手摺１が駆動装置３及び案内ローラ４によって駆動及び案内され、回転する。本実施例では、駆動装置３の下階側に移動手摺１の屈曲した部位Ａが生じたものとし、この部位Ａに本実施例の特徴を成す図２〜図３に示す部材を設ける。
【００１６】
図２〜図３に示すように、移動手摺１の耳部内側にガイド体７が位置するように、ブラケットに取り付けられる。このブラケットは本実施例では２枚のブラケットから構成されており、フレーム２に固定される第１のブラケット５、及びこの第１のブラケット５にボルト・ナット９で締結されるＬ字状の第２のブラケット６から成る。この第２のブラケット６に固定されるガイド体７が、移動手摺１の耳部内側１ａに嵌合し、移動手摺１との隙間８を確保して配置されている。
【００１７】
この第１及び第２のブラケット５，６は図４の分解図に示ように、第１のブラケット５には長穴５ａをあけてあり、第２のブラケット６には第１のブラケット５の長穴５ａと交差するように直角方向の長穴６ａがあけてある。第１のブラケット５と第２のブラケット６は前記の長穴５ａ及び６ａを使用し、ボルト・ナット９で締結する。ガイド体７はボルト・ナットにて第２のブラケット６に固定されている。
【００１８】
これにより、第２のブラケット６に固定されたガイド体７の位置調整は、第２のブラケット６と第１のブラケット５を締結しているボルト９を緩めるのみで縦方向、横方向、横方向の傾きを調整可能である。
【００１９】
移動手摺１の横方向は移動手摺耳部内側１ａの間に配置したガイド体７により動きは規制でき、移動手摺耳部内側１ｂにはガイド体７が触れないため、高さ方向においては隙間８の分だけ移動手摺の動きは制限されない。隙間８を設けることで移動手摺の高さ方向の動きに裕度が生まれるため、移動手摺が一時的に浮き上がろうとした場合においても、極度にガイド体７に負荷がかかり破損するといったことは避けることが可能である。移動手摺の浮き上がりによりガイド体７に押し上げられる方向に過度の力が加わった場合において、第２のブラケット６が長穴６ａ分だけずれることで衝撃を逃がし、破損を避けることも期待できる。
【００２０】
また、本実施例においてはガイド体７の一部が移動手摺耳部内側１ａの間にあれば移動手摺１の横方向の動きを規制できるため、移動手摺１とガイド体７が移動手摺１の移動方向と平行である必要がないため、ガイド体７を移動手摺１の移動方向と平行に調整する機能は必要としない。
【００２１】
駆動装置前後の移動手摺１の屈曲している部位Ａは、移動軌跡のずれが最も現れやすい易い部位であるが、本発明はこの部位を縦方向、横方向、及び横方向の傾きが調整可能なガイド体でガイドしているので、前記した衝撃の逃がし、破損の回避が期待できるだけでなく、移動手摺軌跡に対するガイド体の位置調整作業も短時間で行うことができる。
【００２２】
また、移動手摺の駆動装置は、前述したように周辺部品及び可動部分等との関係で変動し、その設置位置が制約されることも多い。このため、移動手摺の屈曲部位が駆動装置の前後両方に生じる場合には両方に本発明を適用することは勿論、設置上の制約から片側にのみ適用することも本発明の一態様であり、相当する効果を奏することは明らかである。
【符号の説明】
【００２３】
１・・・移動手摺
２・・・フレーム
３・・・駆動装置
４・・・案内ローラ
５・・・第１のブラケット
５ａ・・・第１のブラケットの長穴
６・・・第２のブラケット
６ａ・・・第２のブラケットの長穴
７・・・ガイド体
８・・・ガイド体と移動手摺との隙間
９・・・ボルト・ナット
【図１】
2012062131.tif 000003
【図２】
2012062131.tif 000004
【図３】
2012062131.tif 000005
【図４】
2012062131.tif 000006
【図５】
2012062131.tif 000007